(57)【要約】      （修正有）【課題】部品点数が少なく、加工及び組立作業が容易で、低コスト性、量産性に優れ、点検蓋の開閉が容易で、簡便に内部の点検作業を行うことができ、取扱い性、メンテナンス性に優れ、火災が発生しても燃焼することがなく、堅牢性、耐久性、環境保護性に優れるコンベア用カバーを提供する。【解決手段】ステンレスや鉄等の金属製の波板で略半円筒状に形成されたカバー本体２と、カバー本体の少なくとも一側部に形成された点検口２ｂと、可撓性を有する合成樹脂や合成ゴムで形成され上辺部がカバー本体の外周面側で点検口の上縁側に固定されて点検口に覆設された点検蓋３と、を備えている。【選択図】図１
0003146862.tif 000002
【実用新案登録請求の範囲】
【請求項１】
コークス、石炭、砕石、鉱石、穀物等の粒状製品等を運搬するコンベアの上方側に覆設されるコンベア用カバーであって、ステンレスや鉄等の金属製の波板で略半円筒状に形成されたカバー本体と、前記カバー本体の少なくとも一側部に形成された点検口と、可撓性を有する合成樹脂や合成ゴムで形成され上辺部が前記カバー本体の外周面側で前記点検口の上縁側に固定されて前記点検口に覆設された点検蓋と、を備えたことを特徴とするコンベア用カバー。
【請求項２】
前記カバー本体の内周面側で前記点検口の上縁側に固定される固定部と、前記固定部の下端で前記点検口の上縁部に沿うように折曲されて前記カバー本体の外周面側に突出する折曲部と、前記折曲部の先端から垂下され前記点検蓋の前記カバー本体側の面に当接する当接部と、を有する点検蓋固定具と、前記点検蓋を挟んで前記点検蓋固定具の前記当接部と対向配置され前記当接部と共に前記点検蓋の前記上辺部を挟持する挟持部材と、を備えたことを特徴とする請求項１に記載のコンベア用カバー。
【請求項３】
前記カバー本体の外周面側で前記点検口の上縁側に配設されるパッキンと、前記点検蓋を挟んで前記パッキンと対向配置され前記カバー本体と共に前記パッキン及び前記点検蓋の前記上辺部を挟持する固定板と、を備えたことを特徴とする請求項１に記載のコンベア用カバー。
【請求項４】
前記点検蓋の下縁側に重錘を兼ねて配設された把手部を備えたことを特徴とする請求項１乃至３の内いずれか１項に記載のコンベア用カバー。
【考案の詳細な説明】
【技術分野】
【０００１】
本考案は、コークス、石炭、砕石、鉱石、または、穀物等の粒状製品等を運搬するコンベアの上方側に覆設され、運搬物からの粉塵の飛散を防止すると共に、運搬物を風雨等から保護するコンベア用カバーに関する。
【背景技術】
【０００２】
例えば、石灰石等を採石現場からセメント工場まで運搬する際には、ベルトコンベア等を用いて運搬されている。石灰石等は採石現場側で予めある程度の大きさに砕石されながらホッパからベルトコンベア上に供給され、離れた工場まで運搬されるが、コンベア上に供給される石灰石等の砕石には粒径の小さなものが含まれており、コンベア運搬中にこれらの微粒子がコンベアの振動や風等によって周囲に飛散するおそれがある。このような石灰石の微粒子は、作業者の健康被害や大気汚染等の公害の原因となるので、微粒子が周囲へ飛散しないようにコンベアライン全体にカバーが取り付けられている。
従来のコンベア用カバーとしては、例えば、半円筒形に形成されたガラス繊維強化プラスチック（ＦＲＰ）製やステンレスや鉄等の金属製のカバーが用いられている。
また、（特許文献１）には、コ字状又はアーチ状の本体を有するカバーフレームに、被運搬物を覆うシートカバーが取り付けられた運搬用コンベアのカバー装置が開示されている。
【特許文献１】特開２００７−７６８０４号公報
【考案の開示】
【考案が解決しようとする課題】
【０００３】
しかしながら、上記従来の技術においては、以下のような課題を有していた。
（１）ＦＲＰ製や金属製のカバーには、カバー内を点検するための点検窓が必要となるが、点検窓を形成したり、点検窓に開閉自在な点検蓋を配設したりするには、加工や組立に工数を要し、生産性、量産性に欠けるという課題があった。
（２）点検窓がないカバーと、点検窓があるカバーを組合せ、点検窓の配置間隔を拡げることにより、低コスト化を図っている設備もあるが、カバー内を隅々まで確実に点検することが困難になり、点検作業性、メンテナンス性が低下するという課題があった。
（３）金属製のカバーの場合、強度を確保するためにカバー本体を波板で形成するが、点検窓を確実に覆うために、点検蓋もカバー本体と同様の波板で円弧状に形成しなければならず、加工工数、材料費が増加し、著しく量産性、低コスト性に欠けるという課題があった。
（４）また、可燃性のＦＲＰは燃焼時に有毒ガスを発生するため、火災発生時や廃棄処理時の安全性、環境保護性に欠けるという課題があった。
（５）（特許文献１）では、透明なシートカバーを用いることにより、点検窓を形成することなく、コンベア本体の運搬状態を外部から容易に確認することができるが、耐久性、固定安定性に欠けるという課題を有していた。
（６）また、径時変化で紫外線劣化し易く、視認性が低下して、外部からの確認が困難となり、耐久性、使用性に欠けるという課題を有していた。
【０００４】
本考案は、上記課題を解決するもので、部品点数が少なく、加工及び組立作業が容易で、低コスト性、量産性に優れ、点検蓋の開閉が容易で、簡便に内部の点検作業を行うことができ、取扱い性、メンテナンス性に優れ、火災が発生しても燃焼することがなく、堅牢性、耐久性、環境保護性に優れるコンベア用カバーの提供を目的とする。
【課題を解決するための手段】
【０００５】
上記課題を解決するために本考案のコンベア用カバーは、以下の構成を有している。
本考案の請求項１に記載のコンベア用カバーは、コークス、石炭、砕石、鉱石、穀物等の粒状製品等を運搬するコンベアの上方側に覆設されるコンベア用カバーであって、ステンレスや鉄等の金属製の波板で略半円筒状に形成されたカバー本体と、前記カバー本体の少なくとも一側部に形成された点検口と、可撓性を有する合成樹脂や合成ゴムで形成され上辺部が前記カバー本体の外周面側で前記点検口の上縁側に固定されて前記点検口に覆設された点検蓋と、を備えた構成を有している。
この構成により、以下のような作用を有する。
（１）カバー本体がステンレスや鉄等の金属製の波板で略半円筒状に形成されているので、外力などによる変形が発生し難く、火災が発生しても燃焼することがなく、堅牢性、耐久性、環境保護性に優れる。
（２）カバー本体の少なくとも一側部に点検口が形成されているので、点検口から内部のコンベアの状態を容易に確認することができ、信頼性、メンテナンス性に優れる。
（３）点検蓋が可撓性を有する合成樹脂や合成ゴムで形成されるので、点検蓋を軽量化することができ、加工や組立作業が容易で、量産性、取扱い性に優れる。
（４）可撓性を有する合成樹脂や合成ゴムで形成された点検蓋の上辺部が、カバー本体の外周面側で点検口の上縁側に固定されて点検口に覆設されるので、点検蓋をめくるように湾曲させて点検口を開口させることができ、開閉作業が容易で、取扱い性に優れ、複雑な固定手段や開閉機構が不要で、開閉動作の確実性に優れ、部品点数を低減して組立作業を簡素化することができ、量産性に優れる。
【０００６】
ここで、カバー本体を鉄などで形成する場合は、メッキ加工や防錆加工等を施すことが好ましい。点検口の形状は、矩形状でも円形状でもよい。また、点検口の大きさはカバー本体の大きさによっても変わるが、点検口を矩形状に形成する場合は、幅及び高さを３００ｍｍ前後の大きさにすることが好ましい。カバー本体の内部を懐中電灯で照らすなどして、隅々まで十分に確認を行うことができるためである。尚、点検蓋の大きさは、点検口から運搬物の粉塵等が飛散することを防止すると共に、運搬物を風雨等から保護するために、点検蓋よりも大きめに形成し、点検口を完全に覆うようにすることが望ましい。
点検蓋は、可撓性を有する合成樹脂や合成ゴムで形成されるが、具体的には、軟質性の塩化ビニル樹脂やクロロプレンゴム等が好適に用いられる。
点検蓋は、透明でも不透明でもよいが、透明な場合は、点検蓋を開けずに内部の様子を確認することもでき、使用性に優れる。
点検蓋は、ねじ止めによってカバー本体に固定することができるが、上辺部を金属製や硬質の合成樹脂製或いは合成ゴム製等の板材で挟むように固定することにより、確実かつ強固に固定することができ、固定安定性に優れる。
【０００７】
請求項２に記載の発明は、請求項１に記載のコンベア用カバーであって、前記カバー本体の内周面側で前記点検口の上縁側に固定される固定部と、前記固定部の下端で前記点検口の上縁部に沿うように折曲されて前記カバー本体の外周面側に突出する折曲部と、前記折曲部の先端から垂下され前記点検蓋の前記カバー本体側の面に当接する当接部と、を有する点検蓋固定具と、前記点検蓋を挟んで前記点検蓋固定具の前記当接部と対向配置され前記当接部と共に前記点検蓋の前記上辺部を挟持する挟持部材と、を備えた構成を有している。
この構成により、請求項１の作用に加え、以下のような作用を有する。
（１）点検蓋固定具が、カバー本体の内周面側で点検口の上縁側に固定される固定部と、固定部の下端で点検口の上縁部に沿うように折曲されてカバー本体の外周面側に突出する折曲部と、折曲部の先端から垂下され点検蓋のカバー本体側の面に当接する当接部を有するので、カバー本体への取り付けが容易で組立作業性に優れ、点検蓋と点検口の上縁部との間に隙間が発生せず、点検口からカバー本体の内部に雨水が浸入することを防止して、運搬物を風雨等から保護することができ、信頼性に優れる。
（２）点検蓋を挟んで点検蓋固定具の当接部と対向配置され当接部と共に点検蓋の上辺部を挟持する挟持部材を有するので、点検蓋を確実かつ強固に保持することができ、固定安定性に優れる。
【０００８】
ここで、点検蓋固定具及び挟持部材は、ステンレスや防錆加工を施した鉄等の金属や硬質の合成樹脂或いは合成ゴム等で形成することができるが、特に、金属で形成した場合、割れや欠け等の破損が発生し難く、耐久性、取扱い性に優れるので好ましい。
点検蓋固定具の固定部は、カバー本体に直接、ねじ止めにより固定することができる。また、点検蓋固定具の当接部と挟持部材は、点検蓋を挟むようにしてねじ止めで固定されるが、点検蓋が可撓性を有する合成樹脂や合成ゴムで形成されていることにより、点検蓋自身がパッキンの役目を果たし、当接部や挟持部と点検蓋との間から雨水が浸入することを防止することができる。
カバー本体を形成する波板の波がカバー本体の高さ方向と平行に形成されているので、風雨が波の目に沿って上から下に向かって流れ易く、波の山が点検口の両側部から風雨が進入することを防止する。また、点検口よりも大きな点検蓋で点検口を覆うことにより、点検口の両側部では、波板の頂部でカバー本体の外表面と点検蓋の裏面が接触するので、カバー本体と点検蓋との間には隙間が空き難く、点検口の側部から風雨が進入することを効果的に防ぐことができる。さらに、点検口の両側部でカバー本体の外表面と点検蓋の裏面との間に、点検蓋よりも軟質で弾力性のあるスポンジゴムや発泡ポリウレタン等を配設した場合、より確実に風雨の進入を防止することができる。尚、スポンジゴムや発泡ポリウレタン等は、点検口の両側部であれば、カバー本体の外表面に配設してもよいし、点検蓋の裏面に配設してもよい。
【０００９】
請求項３に記載のコンベア用カバーは、請求項１に記載のコンベア用カバーであって、前記カバー本体の外周面側で前記点検口の上縁側に配設されるパッキンと、前記点検蓋を挟んで前記パッキンと対向配置され前記カバー本体と共に前記パッキン及び前記点検蓋の前記上辺部を挟持する固定板と、を備えた構成を有している。
この構成により、請求項１の作用に加え、以下のような作用を有する。
（１）カバー本体の外周面側で点検口の上縁側に配設されるパッキンと、点検蓋を挟んでパッキンと対向配置されカバー本体と共にパッキン及び点検蓋の上辺部を挟持する固定板を備えているので、点検蓋をカバー本体に確実かつ強固に固定することができると共に、波板で形成されたカバー本体の外周面と点検蓋との間をパッキンで確実にシールすることにより、点検口からカバー本体の内部に雨水が浸入することを防止して、運搬物を風雨等から保護することができ、信頼性に優れる。
【００１０】
ここで、固定板の材質は前述の点検蓋固定具や挟持部材と同様なので説明を省略する。
また、パッキンの材質としてはスポンジゴム、クロロプレン，シリコン，ＥＰＤＭ等の軟質性の合成ゴム、発泡ポリウレタン、発泡ポリエチレンなどが好適に用いられる。
【００１１】
請求項４に記載のコンベア用カバーは、請求項１乃至３の内いずれか１項に記載のコンベア用カバーであって、前記点検蓋の下縁側に重錘を兼ねて配設された把手部を備えた構成を有している。
この構成により、請求項１乃至３の内いずれか１項の作用に加え、以下のような作用を有する。
（１）点検蓋の下縁側に重錘を兼ねて配設された把手部を有するので、点検蓋の開閉作業を簡便に行うことができると共に、風によって点検蓋がめくれることを防止して、運搬物を風雨等から保護することができ、信頼性に優れる。
【００１２】
ここで、把手部の材質としては、ステンレスや鉄等の金属が好適に用いられる。重錘として点検蓋が風などでめくれることを防止できるだけの重量を確保するためである。
把手部は、コ字型やＵ字型等に形成されるが、平板状の基部を有するものが好適に用いられる。平板状の把手部固定板を、点検蓋を挟んで基部と対向配置し、両者をねじ止めすることにより、把手部固定板と基部で点検蓋の下縁部を確実かつ強固に挟持することができ、把手部の固定の作業性、安定性に優れるためである。
【考案の効果】
【００１３】
以上のように、本考案のコンベア用カバーによれば、以下のような有利な効果が得られる。
請求項１に記載の考案によれば、以下のような効果を有する。
（４）可撓性を有する合成樹脂や合成ゴムで形成された点検蓋の上辺部が、カバー本体の外周面側で点検口の上縁側に固定されて点検口に覆設されるので、点検蓋をめくるように湾曲させるだけで簡便に点検口を開口させることができ、開閉作業が容易で、取扱い性に優れ、複雑な固定手段や開閉機構が不要で、動作不良が発生することがなく、部品点数を低減して組立作業を簡素化することができる量産性、信頼性に優れたコンベア用カバーを提供することができる。
【００１４】
請求項２に記載の考案によれば、請求項１の効果に加え、以下のような効果を有する。
（１）点検蓋固定具の固定部をカバー本体の内周面側で点検口の上縁側に固定し、固定部の下端で点検口の上縁部に沿うように折曲された折曲部がカバー本体の外周面側に突出させ、折曲部の先端から垂下した当接部と対向配置される挟持部材で点検蓋の上辺部を挟持することにより、点検蓋を確実かつ強固に保持して、カバー本体に容易に取り付けることができ、点検蓋と点検口の上縁部との間に隙間が発生せず、点検口からカバー本体の内部に雨水が浸入することを防止して、運搬物を風雨等から保護することができる組立作業性、信頼性に優れたコンベア用カバーを提供することができる。
【００１５】
請求項３に記載の考案によれば、請求項１の効果に加え、以下のような効果を有する。
（１）カバー本体の外周面側で点検口の上縁側にパッキンを配設し、点検蓋を挟んでパッキンと対向配置した固定板でカバー本体と共にパッキン及び点検蓋の上辺部を挟持することにより、点検蓋をカバー本体に確実かつ強固に固定することができると共に、波板で形成されたカバー本体の外周面と点検蓋との間をパッキンで確実にシールすることができ、点検口からカバー本体の内部に雨水が浸入することを防止して、運搬物を風雨等から保護することができる組立作業性、信頼性に優れたコンベア用カバーを提供することができる。
【００１６】
請求項４に記載の考案によれば、請求項１乃至３の内いずれか１項の効果に加え、以下のような効果を有する。
（１）点検蓋の下縁側に重錘を兼ねて配設した把手部により、点検蓋の開閉作業を簡便に行うことができると共に、風によって点検蓋がめくれることを防止して、運搬物を風雨等から保護することができる取扱い性、信頼性に優れたコンベア用カバーを提供することができる。
【考案を実施するための最良の形態】
【００１７】
（実施の形態１）
以下、本考案の実施の形態について、以下図面を参照しながら説明する。
図１（ａ）は、本考案の実施の形態１のコンベア用カバーの模式側面図であり、図１（ｂ）は、図１（ａ）のＡ−Ａ線断面模式正面図である。
図１（ａ）中、１は本考案の実施の形態１のコンベア用カバー、２はステンレスや鉄等の金属製の波板で略半円筒状に形成されたコンベア用カバー１のカバー本体、２ａはカバー本体２の両側の下端部に３箇所ずつ穿設されカバー本体２をコンベアの機枠等に固定するための固定孔、２ｂはカバー本体２の一側部に幅及び高さが３００ｍｍ前後の矩形状に形成された点検口、３は可撓性を有する軟質性の塩化ビニル樹脂やクロロプレンゴムで点検口２ｂを完全に覆う大きさに形成され上辺部がカバー本体２の外周面側で点検口２ｂの上縁側に固定されて点検口２ｂに覆設されたコンベア用カバー１の点検蓋である。
【００１８】
次に、点検蓋の詳細について説明する。
図１（ｂ）中、４はステンレスや防錆加工を施した鉄等の金属又は硬質性の合成樹脂や合成ゴム等で形成され点検蓋３をカバー本体２の点検口２ｂの上縁側に固定するための点検蓋固定具、４ａは点検口２ｂの上縁の幅と同等の長さの長尺状に形成されカバー本体２の内周面側で点検口２ｂの上縁側に固定される点検蓋固定具４の平板状の固定部、４ｂは固定部４ａの下端で点検口２ｂの上縁の幅と同等の長さで点検口２ｂの上縁部に沿うように折曲されてカバー本体２の外周面側に突出する点検蓋固定具４の折曲部、４ｃは折曲部４ｂの先端から垂下され点検蓋３の上縁の幅と同等の長さの長尺状に形成され点検蓋３のカバー本体２側の面に当接する当接部、４ｄは点検蓋３の上縁の幅及び点検蓋固定具４の当接部４ｃの長さと同等の長さの長尺状に形成され点検蓋３を挟んで点検蓋固定具４の当接部４ｃと対向配置されて当接部４ｃと共に点検蓋３の上部を挟持する挟持部材、５ａは固定ナット６ａと螺合されて点検蓋固定具４の固定部４ａをカバー本体２に固定する固定ボルト、５ｂは固定ナット６ｂと螺合されて点検蓋固定具４の当接部４ｃと挟持部材４ｄで点検蓋３の上辺部を挟持して固定する固定ボルト、７は略コ字型に形成され点検蓋３の下縁側に重錘を兼ねて配設された把手部、７ａは平板状に形成された把手部７の基部、８は点検蓋３を挟んで基部７ａと対向配置され固定ボルト５ｃ（図１（ａ）参照）でねじ止めされて、基部と共に点検蓋３の下縁部を挟持する把手部固定板である。
【００１９】
本実施の形態では、点検蓋３を可撓性を有する軟質性の塩化ビニル樹脂やクロロプレンゴムで形成したが、点検蓋３の材質はこれに限定されるものではなく、可撓性を有する合成樹脂や合成ゴムで形成することができる。
尚、点検蓋３は、透明でも不透明でもよいが、透明な場合は、点検蓋３を開けずに内部の様子を確認することもでき、使用性に優れる。
点検蓋固定具４は、ステンレスや防錆加工を施した鉄等の金属又は硬質性の合成樹脂や合成ゴム等で形成することができるが、特に、金属で形成した場合、割れや欠け等の破損が発生し難く、耐久性、取扱い性に優れるので好ましい。
点検蓋固定具４の当接部４ｃと挟持部材４ｄは、点検蓋３を挟むようにして固定ボルト５ｂ，固定ナット６ｂでねじ止めされるが、点検蓋３が可撓性を有する合成樹脂や合成ゴムで形成されていることにより、点検蓋３自身がパッキンの役目を果たし、当接部４ｃや挟持部材４ｄと点検蓋３との間から雨水が浸入することを防止することができる。また、点検蓋固定具４の折曲部４ｂが、固定部４ａの下端で点検口２ｂの上縁の幅と同等の長さで点検口２ｂの上縁部に沿うように折曲されてカバー本体２の外周面側に突出しているので、点検口２ｂの上縁部からも雨水が浸入し難い。尚、点検口２ｂの上縁部と折曲部４ｂとの接触面に、スポンジゴムやクロロプレン等の軟質性の合成ゴム、発泡ポリウレタン等で形成されたパッキンを配設すれば、より確実に雨水の浸入を防止でき、信頼性を向上させることができる。
【００２０】
把手部７と基部７ａ及び把手部固定板８は、ステンレスや防錆加工を施した鉄等の金属で形成することにより、重錘としての重量を確保し、点検蓋３が風などでめくれることを防止した。
平板状の把手部固定板８を、点検蓋３を挟んで把手部７の基部７ａと対向配置し、両者を固定ボルト５ｃでねじ止めすることにより、把手部固定板８と基部７ａで点検蓋３の下縁部を確実かつ強固に挟持することができ、把手部７の固定の作業性、安定性に優れる。
【００２１】
以上のように構成された本考案の実施の形態１のコンベア用カバーの使用方法について説明する。
図２は、本考案の実施の形態１のコンベア用カバーの使用状態を示す要部断面模式正面図である。
図２中、１０は実施の形態１のコンベア用カバー１が取り付けられたコークス、砕石、鉱石、穀物等の粒状製品等を運搬するコンベア、１１はコンベア１０の両側にその長手方向に沿って配設されたＣ型鋼で形成された機枠、１２は機枠１１に機枠１１と交差方向に架設されコンベア１０の長手方向に間隔をあけて配置された複数の支持枠、１３は支持枠１２上に立設された複数の支柱、１４は支柱１３に回転自在に軸支されベルト１５の周回上方側（運搬面側）を長手方向に移動自在に支持する３つのキャリアローラ、２０はコンベア１０によって搬送されるコークスや鉱石等を細かく砕いた砕石等の運搬物、２４は機枠１１の両外側に固設されたＺ型鋼、２５はコンベア用カバー１のカバー本体２の両側の下端部に穿設された固定孔２ａに挿通されＺ型鋼２４に係止されてカバー本体２をコンベア１０に固定するフックボルトである。３つのキャリアローラ１４は、運搬物２０がベルト１５の左右からこぼれないためにベルト１５を断面船底形状に湾曲形成するように角度を付けて配置されている。
尚、図２では、説明の都合上、ベルト１５の周回下方側（戻り側）を省略した。
【００２２】
点検蓋３が可撓性を有する合成樹脂や合成ゴムで形成され、点検蓋３の上辺部のみが、カバー本体２の外周面側で点検口２ｂの上縁側に固定されているので、把手部７を手で握って持ち上げれば、点検蓋３が挟持部４ｄの根元付近から湾曲し、点検口２ｂが開口するので、簡便にカバー本体２内部の点検作業を行うことができる。
尚、本実施の形態では、カバー本体２の一側部のみに点検口２ｂを設けたが、両側部に点検口２ｂを設けてもよい。このとき、少なくともいずれか一方の点検口２ｂに覆設される点検蓋３を透明にすれば、点検口２ｂが明かり取りとなり、点検時の視認性に優れる。
また、カバー本体２の頂部側に点検蓋３の把手部７を係止するためのフックなどを設ければ、手で把手部７を握っていなくても点検口２ｂが開口した状態で点検蓋３を保持することができるので、手が塞がらずに作業を行うことができ、メンテナンス性に優れる。
【００２３】
以上のように実施の形態１のコンベア用カバーは構成されているので、以下の作用を有する。
（１）カバー本体がステンレスや鉄等の金属製の波板で略半円筒状に形成されているので、外力などによる変形が発生し難く、火災が発生しても燃焼することがなく、堅牢性、耐久性、環境保護性に優れる。
（２）カバー本体の少なくとも一側部に点検口が形成されているので、点検口から内部のコンベアの状態を容易に確認することができ、信頼性、メンテナンス性に優れる。
（３）点検蓋が可撓性を有する合成樹脂や合成ゴムで形成されるので、点検蓋を軽量化することができ、加工や組立作業が容易で、量産性、取扱い性に優れる。
（４）可撓性を有する合成樹脂や合成ゴムで形成された点検蓋の上辺部が、カバー本体の外周面側で点検口の上縁側に固定されて点検口に覆設されるので、点検蓋をめくるように湾曲させて点検口を開口させることができ、開閉作業が容易で、取扱い性に優れ、複雑な固定手段や開閉機構が不要で、開閉動作の確実性に優れ、部品点数を低減して組立作業を簡素化することができ、量産性に優れる。
（５）点検蓋固定具が、カバー本体の内周面側で点検口の上縁側に固定される固定部と、固定部の下端で点検口の上縁部に沿うように折曲されてカバー本体の外周面側に突出する折曲部と、折曲部の先端から垂下され点検蓋のカバー本体側の面に当接する当接部を有するので、カバー本体への取り付けが容易で組立作業性に優れ、点検蓋と点検口の上縁部との間に隙間が発生せず、点検口からカバー本体の内部に雨水が浸入することを防止して、運搬物を風雨等から保護することができ、信頼性に優れる。
（６）点検蓋を挟んで点検蓋固定具の当接部と対向配置され当接部と共に点検蓋の上辺部を挟持する挟持部材を有するので、点検蓋を確実かつ強固に保持することができ、固定安定性に優れる。
（７）点検蓋の下縁側に重錘を兼ねて配設された把手部を有するので、点検蓋の開閉作業を簡便に行うことができると共に、風によって点検蓋がめくれることを防止して、運搬物を風雨等から保護することができ、信頼性に優れる。
【００２４】
（実施の形態２）
実施の形態２におけるコンベア用カバーについて、以下、図面を用いて説明する。尚、実施の形態１と同様のものには同一の符号を付して説明を省略する。
図３（ａ）は本考案の実施の形態２におけるコンベア用カバーの点検口を示す要部断面模式側面図であり、図３（ｂ）は、図３（ａ）のＢ−Ｂ線矢視断面模式平面図である。
図３において、実施の形態２におけるコンベア用カバー１ａが実施の形態１と異なるのは、点検蓋固定具４及び挟持部材４ｄの代わりに、カバー本体２の外周面側で点検口２ｂの上縁側にパッキン９が配設され、点検蓋３を挟んで固定板４ｅがパッキン９と対向配置されることにより、パッキン９及び点検蓋３の上辺部がカバー本体２と固定板４ｅで挟持されている点である。
尚、５ｄは固定ナット６ｄと螺合されてパッキン９ａ，点検蓋３，固定板４ｅをカバー本体２に固定する固定ボルトである。
実施の形態２のコンベア用カバー１ａは、実施の形態１のコンベア用カバー１と同様にカバー本体２全体が略半円筒状に形成されるが、図３（ａ）では、点検口２ｂ部分を模式的に平面状に引き延ばして図示した。
パッキン９の材質としては、カバー本体２と点検蓋３との間を埋めて、点検口２ｂからカバー本体２の内部に雨水が浸入することを防止できるものであればよいが、スポンジゴムやクロロプレン，シリコン，ＥＰＤＭ等の軟質性の合成ゴム、発泡ポリウレタン、発泡ポリエチレンなどが好適に用いられる。
実施の形態２のコンベア用カバー１ａの使用方法は、実施の形態１と同様なので、説明を省略する。
【００２５】
以上のように実施の形態２のコンベア用カバーは構成されているので、実施の形態１の（１）乃至（４），（７）と同様の作用に加え、以下の作用を有する。
（１）カバー本体の外周面側で点検口の上縁側に配設されるパッキンと、点検蓋を挟んでパッキンと対向配置されカバー本体と共にパッキン及び点検蓋の上辺部を挟持する固定板を備えているので、点検蓋をカバー本体に確実かつ強固に固定することができると共に、波板で形成されたカバー本体の外周面と点検蓋との間をパッキンで確実にシールすることにより、点検口からカバー本体の内部に雨水が浸入することを防止して、運搬物を風雨等から保護することができ、信頼性に優れる。
【産業上の利用可能性】
【００２６】
本考案は、部品点数が少なく、加工及び組立作業が容易で、低コスト性、量産性に優れ、点検蓋の開閉が容易で、簡便に内部の点検作業を行うことができ、取扱い性、メンテナンス性に優れ、火災が発生しても燃焼することがなく、堅牢性、耐久性、環境保護性に優れるコンベア用カバーの提供を行って、既存のコンベアに低コストで設置することができ、点検作業性、メンテナンス性を向上させることができる。
【図面の簡単な説明】
【００２７】
【図１】（ａ）本考案の実施の形態１のコンベア用カバーの模式側面図（ｂ）図１（ａ）のＡ−Ａ線断面模式正面図
【図２】本考案の実施の形態１のコンベア用カバーの使用状態を示す要部断面模式正面図
【図３】（ａ）は本考案の実施の形態２におけるコンベア用カバーの点検口を示す要部断面模式側面図（ｂ）図３（ａ）のＢ−Ｂ線矢視断面模式平面図
【符号の説明】
【００２８】
１，１ａ  コンベア用カバー
２  カバー本体
２ａ  固定孔
２ｂ  点検口
３  点検蓋
４  点検蓋固定具
４ａ  固定部
４ｂ  折曲部
４ｃ  当接部
４ｄ  挟持部材
４ｅ  固定板
５ａ，５ｂ，５ｃ，５ｄ  固定ボルト
６ａ，６ｂ，６ｄ  固定ナット
７  把手部
７ａ  基部
８  把手部固定板
９  パッキン
１０  コンベア
１１  機枠
１２  支持枠
１３  支柱
１４  キャリアローラ
１５  ベルト
２０  運搬物
２４  Ｚ型鋼
２５  フックボルト
【図１】
0003146862.tif 000003
【図２】
0003146862.tif 000004
【図３】
0003146862.tif 000005